【手続補正書】
【提出日】平成30年9月26日(2018.9.26)
【手続補正１】
【補正対象書類名】特許請求の範囲
【補正対象項目名】全文
【補正方法】変更
【補正の内容】
【特許請求の範囲】
【請求項１】
スプリングアッセンブリにおいて、
第１端部および第２端部の間にらせん状に巻かれた複数のコイルを具えるばねと、
前記第１端部を終端している第１エンドコイルと、当該第１エンドコイルに隣接する第２エンドコイルとの間で前記ばねの前記第１端部に取付けられたスプリングディスクと、を具えることを特徴とするスプリングアッセンブリ。
【請求項２】
請求項１に記載のスプリングアッセンブリにおいて、
前記スプリングディスクが、さらに、前記ディスクの円周部分に前記第１エンドコイルと、前記第２エンドコイルとの間で前記ばねの遷移領域を受け入れるノッチを具えていることを特徴とするスプリングアッセンブリ。
【請求項３】
請求項１に記載のスプリングアッセンブリにおいて、前記スプリングディスクが、前記ばねの前記第１端部に対して前記スプリングディスクを固定する、第１エンドコイルの一部のまわりに延在するリムをさらに具えていることを特徴とするスプリングアッセンブリ。
【請求項４】
請求項１に記載のスプリングアッセンブリにおいて、前記スプリングディスクが、前記ばねの前記第１端部にコネクタ要素を連結するための取付け構造を具えていることを特徴とするスプリングアッセンブリ。
【請求項５】
請求項４に記載のスプリングアッセンブリにおいて、前記取付け構造が、前記スプリングディスクの中心を通る孔を具えていることを特徴とするスプリングアッセンブリ。
【請求項６】
請求項５に記載のスプリングアッセンブリが更に、前記孔を通って受けられている第１端部と、前記孔から前記コネクタ部材の第１端部が抜けるのを防ぐ拡大ヘッドを具える細長コネクタ部材を具えていることを特徴とするスプリングアッセンブリ。
【請求項７】
請求項１に記載のスプリングアッセンブリが更に、前記第２端部を終端する第１エンドコイルと、当該第１エンドコイルに隣接する第２エンドコイルとの間で前記ばねの第２端部に取付けた第２スプリングディスクを具えていることを特徴とするスプリングアッセンブリ。
【請求項８】
請求項１に記載のスプリングアッセンブリにおいて、前記ばねが、引張りばねを具えていることを特徴とするスプリングアッセンブリ。
【請求項９】
請求項１に記載のスプリングアッセンブリにおいて、前記スプリングディスクが、前記ばねの第１端部の前記直径を渡って少なくとも部分的に延在する表面と、前記表面の周囲に少なくとも部分的に延在しているリムとを具えることを特徴とするスプリングアッセンブリ。
【請求項１０】
請求項９に記載のスプリングアッセンブリにおいて、前記表面が、らせん形、または、渦巻形の形状を有することを特徴とするスプリングアッセンブリ。
【請求項１１】
請求項１に記載のスプリングアッセンブリが更に、前記ばねに対して前記スプリングディスクをロックする前記スプリングディスクを係合する前記第１エンドコイルの末端部上に構造を具えていることを特徴とするスプリングアッセンブリ。
【請求項１２】
請求項１に記載のスプリングアッセンブリが更に、前記ばねに対して前記スプリングディスクの動きを妨げる前記スプリングディスクを係合する前記第１エンドコイルの末端部上に構造を具えていることを特徴とするスプリングアッセンブリ。
【請求項１３】
請求項１１または１２に記載のスプリングアッセンブリにおいて、前記構造が、前記末端部に形成されたクリンプしたタブを具えることを特徴とするスプリングアッセンブリ。
【請求項１４】
請求項１１または１２に記載のスプリングアッセンブリにおいて、前記構造が、前記末端部上に止め具を具えることを特徴とするスプリングアッセンブリ。
【請求項１５】
請求項１１または１２に記載のスプリングアッセンブリにおいて、前記末端部が、接着、はんだづけ、溶接、または溶融による接合のうちの１つによって前記スプリングディスクに取付けられていることを特徴とするスプリングアッセンブリ。
【請求項１６】
スプリングアッセンブリにおいて、
第１端部および第２端部の間でらせん状に巻かれた複数のコイルを具えるばねであって、前記第１端部が第１エンドコイルで終端しており、当該第１エンドコイルに隣接する第２エンドコイルを具えているばねと；
前記第１エンドコイルと前記第２エンドコイルとの間に固定されたらせん形または渦巻形の表面と、当該表面を通って延在する孔を具える第１スプリングディスクと；
前記スプリングアッセンブリを機械要素に結合する前記孔を介して前記第１スプリングディスクに連結されている第１細長部材と；を具えることを特徴とするスプリングアッセンブリ。
【請求項１７】
請求項１６に記載のスプリングアッセンブリにおいて、前記第２端部が第３エンドコイルにて終端し、前記第３エンドコイルに隣接する第４エンドコイルを具えており、前記スプリングアッセンブリが更に：
第２スプリングディスクであって、前記第３エンドコイルと第４エンドコイルの間に固定されたらせん形または渦巻形の表面と、当該表面を通って延在する孔とを具える第２スプリングディスクと；
機械要素に前記スプリングアッセンブリを連結する前記孔を介して、前記第２スプリングディスクに連結された第２細長部材と；
を具えることを特徴とするスプリングアッセンブリ。
【請求項１８】
請求項１または１６に記載のスプリングアッセンブリにおいて、前記ばねのコイルが、長さに沿って様々なピッチを有していることを特徴とするスプリングアッセンブリ。
【請求項１９】
請求項１８に記載のスプリングアッセンブリにおいて、前記ばねの各端部上の前記第１エンドコイルおよび前記第２エンドコイルが、弛緩状態で互いに間隔があいており、残りのコイルは互いに近接していることを特徴とするスプリングアッセンブリ。
【請求項２０】
スプリングアッセンブリを製造する方法において、
第１端部および第２端部の間にらせん形に巻かれた複数のコイルと、前記第１端部を終端している第１エンドコイルと、前記第１エンドコイルに隣接する第２エンドコイルとを具えるばねを提供するステップと；
前記第１エンドコイルおよび前記第２エンドコイルの間で前記ばねの前記第１端部にスプリングディスクを取付けるステップと；
を具えることを特徴とする方法。
【請求項２１】
ユーザのアームを支持するシステムにおいて、
ユーザの体に身につけられるように構成されたハーネスと；
ユーザのアームを支持するように構成された前記ハーネスに連結したアームサポートであって、第１端部にアームレストを具えるアームブラケットと、前記ハーネスに枢支連結されて前記アームブラケットが複数の軸に対して回動可能であり前記ユーザのアームの動きに適応する一方で、前記ユーザのアームの動きを実質的に妨げることなく当該動きに追従する第２端部と、を具えるアームサポートと；
前記ユーザが動くとき、当該ユーザの腕の動きに追従し、前記ユーザの腕にかかる重力を少なくとも部分的にオフセットする前記アームブラケットに設けられた１またはそれ以上の補償要素と、を具え、
前記１またはそれ以上の補償要素を具えるスプリングアッセンブリであって、
前記ばねの第１端部および第２端部の間でらせん形に巻かれた複数のコイルを含んでいるばねと、
前記第１端部を終端する第１エンドコイルと前記第１エンドコイルに隣接する第２エンドコイルとの間で前記ばねの前記第１端部に取付けたスプリングディスクと、
を、具えているスプリングアッセンブリであることを特徴とするシステム。